Podtech/llm-jp-corpus-v4-ja_patent huggingface dataset:
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
心臓弁輪形成リングの移植を支援する装置であって、前記装置は細長い可撓性のシャフトを備えており、前記細長い可撓性のシャフトは、その遠位部に沿って参照リングの輪郭が画定されており、前記参照リングは、事前に形成された配備形状と、真直ぐな搬送形状の間で弾性的に変形自在であり、前記配備形状は、少なくとも１個のコイルを有しており、前記コイルの寸法と形状は、前記弁輪形成リングの寸法および形状に近似しており、前記細長い可撓性のシャフトは、搬送用カテーテルから外に出て近位方向に延びるような寸法に設けられた近位端を有し、前記参照リングは、前記弁輪形成リングを移植した後で、搬送用カテーテルの中に後退させられるように構成されることを特徴とする装置。
【請求項２】
前記参照リングは、放射線撮像法、X線透視法、超音波撮像法、経胸腔心エコー検査法（TTE）、経食道心エコー検査法（TEE）、心臓磁気共鳴検査法（CMR）、磁気共鳴画像化検査法（MRI）や磁気共鳴血管形成法（MRA）からなる群から選択された少なくとも１種類の画像化技術によって目視することができる素材を含んでいることを特徴とする、請求項１に記載の装置。
【請求項３】
前記参照リングは少なくとも１個のマーカーを含んでいることを特徴とする、請求項１に記載の装置。
【請求項４】
前記配備形状は螺旋形を含んでいることを特徴とする、請求項１に記載の装置。
【請求項５】
前記参照リングは芯材に固定された被覆材が配置されていることを特徴とする、請求項１に記載の装置。
【請求項６】
前記芯材には先細り状の遠位端が設けられていることを特徴とする、請求項５に記載の装置。
【請求項７】
前記芯材は、ニチノール、ステンレス鋼、経年硬化性のニッケル−コバルト−クロミウム−モリブデン合金、工学的に製造された可塑材、各種アミド、各種ポリイミド、各種ポリオレフィン、各種ポリエステル、各種ウレタン、各種熱可塑材、各種熱硬化性可塑材、これらの各種混合物、各種積層体、各種共重合体、各種組合せからなる群から選択された生態適合性素材を含んでいることを特徴とする、請求項５に記載の装置。
【請求項８】
前記被覆材は超音波撮像法に基づいて目視することができる多孔性素材を含んでいることを特徴とする、請求項５に記載の装置。
【請求項９】
前記被覆材は、強磁性粒子、常磁性粒子、反磁性粒子、極小の超常磁性酸化鉄（USPIO）、低分子重量のガドリニウムキレート、ガドリニウムテトラアザシクロドデカン四酢酸（Gd-DOTA）、パーフルオロオクチルブロミド（PFOB）からなる群から選択された素材を含んでいることを特徴とする、請求項５に記載の装置。
【請求項１０】
前記被覆材はバルーンを備えており、前記可撓性シャフトは膨張管腔を有しており、前記膨張管腔はバルーンの内部を装置の近位端の位置に配備された取付具と流体連絡状態にしていることを特徴とする、請求項５に記載の装置。
【請求項１１】
心臓弁輪形成リングの移植を支援するシステムであって、前記システムは、
細長い搬送用カテーテルを備えており、前記カテーテルには遠位端および近位端と、前記遠位端に隣接している出口ポートと、前記出口ポートから前記近位端まで延びている管腔が設けられており、
さらに、請求項１に記載の前記細長いシャフトを備え、前記細長いシャフトは、前記カテーテルの管腔の内部に滑動自在に配置されており、前記参照リングは前記カテーテルの出口ポートを通り抜けて拡張させることができるとともに、前記搬送用カテーテルによって拘束することができる真直ぐな搬送形状を取ることができ、前記細長い可撓性のシャフトは、前記細長い搬送用カテーテルから外に出て近位方向に延びた近位端を有し、前記参照リングは、前記弁輪形成リングを移植した後で、搬送用カテーテルの中に後退させられるように構成されることを特徴とするシステム。
【請求項１２】
前記出口ポートは側部ポートであることを特徴とする、請求項１１に記載のシステム。
【請求項１３】
前記カテーテルは前記管腔内に傾斜面が配備されており、前記傾斜面は、前記参照リングを前記出口ポートと整合させるように位置と角度が設定されていることを特徴とする、請求項１２に記載のシステム。
【請求項１４】
前記カテーテルには豚尾状の先端部が設けられていることを特徴とする、請求項１１に記載のシステム。
【手続補正２】
【補正対象書類名】明細書
【補正対象項目名】発明の名称
【補正方法】変更
【補正の内容】
【発明の名称】弁輪形成術を支援する装置およびシステム
【手続補正３】
【補正対象書類名】明細書
【補正対象項目名】０００１
【補正方法】変更
【補正の内容】
【０００１】
本発明は、広義には、医療装置に関するものであり、特に、心臓弁輪形成術リングの移植を支援する装置およびシステムに関連している。
【手続補正４】
【補正対象書類名】明細書
【補正対象項目名】０００８
【補正方法】変更
【補正の内容】
【０００８】
よって、上述の欠点、および、それ以外の不利な点を克服するために、弁輪形成用リングの移植を支援する装置およびシステムを提供するのが望ましい。
【手続補正５】
【補正対象書類名】明細書
【補正対象項目名】００１２
【補正方法】変更
【補正の内容】
【００１２】
本発明に関連する技術として、噴門弁を治療する方法がある。この方法は、参照リングを真直ぐな搬送形状を呈したままで搬送用カテーテルにより下位心室位置まで搬送すること、搬送用カテーテルの出口ポートの中で参照リングを伸張させること、参照リングの事前に湾曲された部分を心臓弁の弁輪と弁下当接状態に設置すること、および、設置済みの参照リングの少なくとも標識を付与された部分を光学的手段以外の方法で目視することを含んでいる。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
図1Aに記載の配列の127, 128, 130, 131, 132および142位に対応する各アミノ酸がそれぞれN, V, R, L, SおよびIであり、かつ22, 29, 41, 66, 80, 109, 185および186位に対応するすべてのアミノ酸がそれぞれI, I, K, V, N, R, RおよびNではない、Vifをコードするヌクレオチド配列を含むポリヌクレオチド。
【請求項２】
22, 29, 41, 48, 66, 80, 109, 185および186位に対応するすべてのアミノ酸が、それぞれI, I, K, N, V, N, R, RおよびNではない、請求項1に記載のVifをコードするヌクレオチド配列を含むポリヌクレオチド。
【請求項３】
48位に対応するアミノ酸がNである、請求項1に記載のVifをコードするヌクレオチド配列を含むポリヌクレオチド。
【請求項４】
22, 29, 41, 48, 66, 80, 109, 185および186位に対応するアミノ酸が、天然Vifに存在するアミノ酸である、請求項1〜3のいずれか１項に記載のVifをコードするヌクレオチド配列を含むポリヌクレオチド。
【請求項５】
22位に対応するアミノ酸がKであり、29位に対応するアミノ酸がMであり、41位に対応するアミノ酸がRであり、48位に対応するアミノ酸がN又はHであり、66位に対応するアミノ酸がIであり、80位に対応するアミノ酸がHであり、109位に対応するアミノ酸がLであり、185位に対応するアミノ酸がGであり、かつ186位に対応するアミノ酸がSである、請求項1〜4のいずれか１項に記載のVifをコードするヌクレオチド配列を含むポリヌクレオチド。
【請求項６】
F12-Vif配列ではない天然Vif配列中に組み込まれた、図２に記載のF12-Vif配列のアミノ酸126〜170位を含んでなるキメラVifポリペプチドをコードするヌクレオチド配列を含むポリヌクレオチド。
【請求項７】
図5Aに記載のアミノ酸配列をコードするヌクレオチド配列を含んでなるポリヌクレオチド。
【請求項８】
図15に記載のヌクレオチド配列を含んでなるポリヌクレオチド。
【請求項９】
請求項1〜8のいずれか１項に定義されたVifの断片をコードするヌクレオチド配列を含むポリヌクレオチドであって、前記断片が少なくとも図2に記載の配列の126〜170位に対応するアミノ酸を含む、前記ポリヌクレオチド。
【請求項１０】
請求項1〜9のいずれか１項に記載のポリヌクレオチドによりコードされる、Vifポリペプチドまたはその断片。
【請求項１１】
図5Aに記載のアミノ酸配列を含むVifポリペプチド。
【請求項１２】
請求項1〜9のいずれか１項に定義されるポリヌクレオチドを含む、ベクター。
【請求項１３】
前記ベクターがレトロウイルスまたはレンチウイルスベクターである、請求項12に記載のベクター。
【請求項１４】
前記レンチウイルスベクターがHIVから誘導できる、請求項13に記載のベクター。
【請求項１５】
前記ポリヌクレオチドがウイルスLTRに機能的に連結されている、請求項13または14に記載のベクター。
【請求項１６】
前記ポリヌクレオチドの発現がtat依存性である、請求項13〜15のいずれか１項に記載のベクター。
【請求項１７】
tat遺伝子を欠失している、請求項13〜16のいずれか１項に記載のベクター。
【請求項１８】
前記ポリペプチドの発現がHIV-1誘導性の制御下にある、請求項13〜17のいずれか１項に記載のベクター。
【請求項１９】
gag、polおよびenv遺伝子のいずれか１以上、またはすべてを欠失している、請求項13〜18のいずれか１項に記載のベクター。
【請求項２０】
選択マーカー遺伝子をコードするポリヌクレオチド配列をさらに含む、請求項12〜19のいずれか１項に記載のベクター。
【請求項２１】
p75低親和性神経成長因子受容体(LNGFR)の少なくとも一部をコードするポリヌクレオチド配列をさらに含む、請求項12〜20のいずれか１項に記載のベクター。
【請求項２２】
組み込まれたプロウイルスの形態である、請求項12〜21のいずれか１項に記載のベクター。
【請求項２３】
請求項12〜22のいずれか１項に記載のベクターから得られうる、レトロウイルスまたはレンチウイルス粒子。
【請求項２４】
前記粒子がシュードタイプ化されている、請求項23に記載のレトロウイルスまたはレンチウイルス粒子。
【請求項２５】
請求項12〜22のいずれか１項に記載のベクターと、レトロウイルス性もしくはレンチウイルス性gag-polおよびレトロウイルス性もしくはレンチウイルス性envまたは非レトロウイルス性もしくは非レンチウイルス性envとを含む、請求項23または24に記載のレトロウイルス粒子もしくはレンチウイルス粒子を産生するためのレトロウイルスもしくはレンチウイルス産生系。
【請求項２６】
レトロウイルス性またはレンチウイルス性gag-pol、およびenvが異なるベクター中に存在する、請求項25に記載のレトロウイルスもしくはレンチウイルス産生系。
【請求項２７】
envがRD114-TR, VSV-G, GALVまたは4070Aから選択される、請求項25または26に記載のレトロウイルスもしくはレンチウイルス産生系。
【請求項２８】
請求項1〜9のいずれか１項に記載のポリヌクレオチドを含む、細胞。
【請求項２９】
請求項12〜22のいずれか１項に記載のベクターまたは請求項23もしくは24に記載のレトロウイルス粒子により感染または形質導入された、細胞。
【請求項３０】
前記細胞が単球、マクロファージまたはリンパ球である、請求項28または29に記載の細胞。
【請求項３１】
前記細胞が造血性CD34+ 前駆細胞または造血細胞である、請求項30に記載の細胞。
【請求項３２】
変異型VifがHIV-1誘導性の制御下にある、請求項28〜31のいずれか１項の記載の細胞。
【請求項３３】
請求項1〜9のいずれか１項に記載のポリヌクレオチド、請求項10もしくは11に記載のポリペプチド、請求項12〜22のいずれか１項に記載のベクター、請求項23もしくは24に記載のレトロウイルス粒子、または請求項28〜32のいずれか１項に記載の細胞、および製薬上許容される担体、希釈剤もしくは賦形剤を含んでなる、医薬組成物。
【請求項３４】
医薬用である、請求項1〜9のいずれか１項に記載のポリヌクレオチド、請求項10もしくは11に記載のポリペプチド、請求項12〜22のいずれか１項に記載のベクター、請求項23もしくは24に記載のレトロウイルス粒子、または請求項28〜32のいずれか１項に記載の細胞、あるいは請求項33に記載の医薬組成物。
【請求項３５】
HIV感染または関連症状の治療または予防用の医薬の製造のための、請求項1〜9のいずれか１項に記載のポリヌクレオチド、請求項10もしくは11に記載のポリペプチド、請求項12〜22のいずれか１項に記載のベクター、請求項23もしくは24に記載のレトロウイルス粒子、または請求項28〜32のいずれか１項に記載の細胞、あるいは請求項33に記載の医薬組成物の使用。
【請求項３６】
HIV感染が重複感染である、請求項35に記載の使用。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
バルブを装備した容器内に医療用組成物を含む医療用エアロゾル装置であって、架橋パーフルオロ化エラストマーを含む少なくとも１つのシーリング部材を含む装置。
【請求項２】
前記医療用組成物が、ＨＦＣ−１３４ａ、ＨＦＣ−２２７およびこれらの混合物からなる群より選択されるヒドロフルオロアルカン推進剤を含む、請求項１に記載の装置。
【請求項３】
前記パーフルオロ化エラストマーが、パーフルオロ（アルキルビニル）エーテルおよびパーフルオロ（アルコキシビニル）エーテルおよびこれらの混合物からなる群より選択されるモノマーから誘導された共重合単位を含む、請求項１または２に記載の装置。
【請求項４】
前記パーフルオロ化エラストマーが、テトラフルオロエチレンから誘導された共重合単位をさらに含む、請求項３に記載の装置。
【請求項５】
前記シーリング部材がフィラーをさらに含む、請求項１に記載の装置。
【手続補正２】
【補正対象書類名】明細書
【補正対象項目名】００６６
【補正方法】変更
【補正の内容】
【００６６】
本発明を様々な実施形態を参照して説明してきた。上述の詳細な説明および実施例は理解のためとしてのみ示されており、そこから不必要な限定はされないものとする。本発明の技術思想および範囲から逸脱することなく記載した実施形態に多くの変更を行えることは当業者には明白であろう。このように、本発明の範囲は、本明細書に記載した構成および構造の厳密な詳細に限定されるものではなく、特許請求の範囲の文言によって限定されるものである。
以下に、本願発明に関連する発明について、その実施形態を列挙する。
［実施形態１］
バルブを装備した容器内に医療用組成物を含む医療用エアロゾル装置であって、架橋パーフルオロ化エラストマーを含む少なくとも１つのシーリング部材を含む装置。
［実施形態２］
前記医療用組成物がヒドロフルオロアルカン推進剤を含む、実施形態１に記載の装置。
［実施形態３］
前記ヒドロフルオロアルカンが、ＨＦＣ−１３４ａ、ＨＦＣ−２２７およびこれらの混合物からなる群より選択される、実施形態２に記載の装置。
［実施形態４］
前記医療用組成物が極性共溶媒を含む、実施形態１〜３のいずれか一つに記載の装置。
［実施形態５］
前記極性共溶媒がエタノールである、実施形態４に記載の装置。
［実施形態６］
前記シーリング部材がバルブシールである、実施形態１〜５のいずれか一つに記載の装置。
［実施形態７］
架橋パーフルオロ化エラストマーを含むシーリング部材を含む医療用エアロゾル装置に用いるバルブ。
［実施形態８］
前記バルブがバルブステムを含み、前記シーリング部材によって前記バルブステムの相互動作を可能とする、実施形態１〜６のいずれか一つに記載の装置。
［実施形態９］
前記パーフルオロ化エラストマーが、パーフルオロ（アルキルビニル）エーテルおよびパーフルオロ（アルコキシビニル）エーテルおよびこれらの混合物からなる群より選択されるモノマーから誘導された共重合単位を含む、実施形態１〜６及び８のいずれか一つに記載の装置。
［実施形態１０］
前記パーフルオロ化エラストマーが、テトラフルオロエチレンから誘導された共重合単位をさらに含む、実施形態９に記載の装置。
［実施形態１１］
前記パーフルオロ化エラストマーが、窒素含有硬化部位モノマーから誘導された共重合単位を有するフルオロポリマーを含む、実施形態１〜６及び８〜１０のいずれか一つに記載の装置。
［実施形態１２］
前記シーリング部材がフィラーをさらに含む、実施形態１〜６及び８〜１１のいずれか一つに記載の装置。
［実施形態１３］
前記フィラーが、パーフルオロアルコキシ樹脂、硫酸バリウム、酸化マグネシウムおよびカルシウムからなる群より選択される、実施形態１２に記載の装置。
［実施形態１４］
バルブステムと、架橋パーフルオロ化エラストマーを含み、ダイアフラムアパーチャを画定する壁を有するダイアフラムと、処方チャンバとケーシングアパーチャとを画定する壁を有するケーシング部材とを含み、前記バルブステムが前記ダイアフラムアパーチャを貫通し、前記ケーシングアパーチャが、前記ダイアフラムアパーチャとスライド可能にシーリング係合しており、前記ダイアフラムが、前記ケーシング部材とシーリング係合しているエアロゾルを投与する装置であって、前記処方チャンバ内に医療用エアロゾル処方を含有している装置。
［実施形態１５］
医療用エアロゾル処方を含有するように構成された容器を提供する工程と、
前記容器にバルブを装備する工程と、
バルブにおける、または前記容器と前記バルブとの間の少なくとも１つの界面を架橋パーフルオロ化エラストマーシールによりシーリングする工程と、
前記容器を医療用組成物で充填する工程と
を含む医療用エアロゾル装置を製造する方法。
［実施形態１６］
少なくとも１つの架橋パーフルオロ化エラストマーシールを提供する工程と、
前記容器、バルブおよび少なくとも１つのシールを組み立てて、前記シールが前記容器および／または前記バルブに沿うようにすることによって、バルブにおける、または前記容器と前記バルブとの間の少なくとも１つの界面を架橋パーフルオロ化エラストマーシールでシーリングする工程と、
前記容器を医療用組成物で充填する工程と
を含むバルブを装備した容器を有する医療用エアロゾル装置をシーリングする方法。
［実施形態１７］
前記容器に前記バルブを装備する前に、前記容器が医療用組成物で充填される、実施形態１５に記載の方法。
［実施形態１８］
前記容器に前記バルブを装備した後に、前記容器が医療用組成物で充填される、実施形態１５に記載の方法。
［実施形態１９］
前記医療用組成物が、ＨＦＣ−１３４ａ、ＨＦＣ−２２７およびこれらの混合物からなる群より選択される推進剤を含む、請求項１４に記載の装置または実施形態１５〜１８のいずれか一項に記載の方法。
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
管状の解剖学的構造の損傷又は病変部位を処置するための流動性組成物であって、該流動性組成物は、生体適合性基質及び細胞を含み、且つ損傷又は病変部位を処置する上で有効な量である、流動性組成物。
【請求項２】
前記細胞が、内皮細胞、又は内皮様の表現型を有する細胞である、請求項１に記載の流動性組成物。
【請求項３】
前記細胞が、内皮細胞、上皮細胞、平滑筋細胞、神経芽細胞、幹細胞、前駆細胞、心筋細胞、前述の細胞のいずれか１つに由来する細胞、および前述の細胞のいずれかの組み合わせからなる群より選択される、請求項１に記載の流動性組成物。
【請求項４】
前記生体適合性基質が粒子又はマイクロキャリアを含む、請求項１に記載の流動性組成物。
【請求項５】
前記粒子又はマイクロキャリアが更に、ゼラチン、コラーゲン、フィブロネクチン、フィブリン、ラミニン又は結合ペプチドを含む、請求項４に記載の流動性組成物。
【請求項６】
前記結合ペプチドがアルギニン−グリシン−アスパラギン酸（ＲＧＤ）配列のペプチドを含む、請求項５に記載の流動性組成物。
【請求項７】
粒子又はマイクロキャリアが約２０ミクロン〜約５００ミクロンの直径を有する、請求項４に記載の流動性組成物。
【請求項８】
粒子又はマイクロキャリアが約２００ミクロンの直径を有する、請求項４に記載の流動性組成物。
【請求項９】
前記有効量により、損傷又は病変部位における平滑筋細胞の増殖が低減されるか、閉塞性血栓症が低減されるか、内膜過形成が低減されるか、狭窄又は再狭窄が低減されるか、急性炎症又は慢性炎症が低減されるか、あるいは血管拡張又は血管痙攣が低減される、請求項１に記載の流動性組成物。
【請求項１０】
前記管状の解剖学的構造が血管である、請求項１に記載の流動性組成物。
【請求項１１】
管状の解剖学的構造の損傷又は病変部位を処置するための、該損傷又は病変部位を処置する上で有効な量で生体適合性基質及び細胞を含む流動性組成物であって、
該流動性組成物は、該管状の解剖学的構造の損傷若しくは病変部位において、又は該部位に隣接して、又は該部位の近くにおいて、該管状の解剖学的構造の管腔外面と接触されることを特徴とする、流動性組成物。
【請求項１２】
前記管状の解剖学的構造の内壁を横断又は貫通した後、損傷若しくは病変部位において、又は該部位に隣接して、又は該部位の近くにおいて、流動性組成物を該管状の解剖学的構造の外面に沈着させることにより、接触が達成される、請求項１１に記載の流動性組成物。
【請求項１３】
更に、前記管状の解剖学的構造の外面において同定された部位に前記流動性組成物が沈着することを特徴とする、請求項１２に記載の流動性組成物。
【請求項１４】
経皮投与により血管周囲腔に進入させた後、損傷若しくは病変部位において、又は該部位に隣接して、又は該部位の近くにおいて、前記流動性組成物を前記管状の解剖学的構造の外面に沈着させることにより、前記接触が達成される、請求項１１に記載の流動性組成物。
【請求項１５】
前記管状の解剖学的構造の外面が非管腔面である、請求項１１に記載の方法。
【請求項１６】
前記細胞が、コンフルエントな細胞集団；ほぼコンフルエントな細胞集団；コンフルエント後の細胞集団；及び前述の表現型の何れか一つを有する細胞集団からなる群より選択される、請求項１に記載の流動性組成物。
【請求項１７】
生体適合性タンパク質粒子に移植された、指数増殖期でない生存細胞を含む、流動性組成物。
【請求項１８】
前記粒子の直径が、約２０μｍ〜約１０００μｍの範囲にある、請求項１７に記載の流動性組成物。
【請求項１９】
前記粒子の直径が、約１００μｍ〜約５００μｍである、請求項１８に記載の流動性組成物。
【請求項２０】
前記タンパク質が、ゼラチン、コラーゲン、フィブロネクチン、フィブリン、およびラミニンからなる群より選択される、請求項１７に記載の流動性組成物。
【請求項２１】
前記粒子は、Ｇｅｌｆｏａｍ（登録商標）粒子、Ｇｅｌｆｏａｍ（登録商標）粉末、または微粉砕Ｇｅｌｆｏａｍ（登録商標）である、請求項１９に記載の流動性組成物。
【請求項２２】
前記細胞は、内皮細胞、上皮細胞、平滑筋細胞、神経芽細胞、幹細胞、内皮前駆細胞、心筋細胞、またはそれらの組み合わせからなる群より選択される、請求項１７に記載の流動性組成物。
【請求項２３】
前記細胞は内皮細胞である、請求項１７に記載の流動性組成物。
【請求項２４】
前記細胞はヒトのものである、請求項２３に記載の流動性組成物。
【請求項２５】
前記細胞は、コンフルエントな細胞集団、ほぼコンフルエントな細胞集団およびコンフルエント後の細胞集団からなる群より選択される、請求項１７に記載の流動性組成物。
【請求項２６】
前記細胞は、硫酸ヘパラン、ＴＧＦ−β１、およびｂ−ＦＧＦを産生する、請求項１７に記載の流動性組成物。
【請求項２７】
さらに、ヘパリン、硫酸ヘパラン、増殖因子、抗増殖剤、および抗腫瘍剤からなる群より選択されるメンバーを含む、請求項１７に記載の流動性組成物。
【請求項２８】
前記増殖因子は硫酸ヘパラン、ＴＧＦ−β１またはｂ−ＦＧＦである、請求項２７に記載の流動性組成物。
【請求項２９】
少なくとも３５ミリグラムの用量中の、請求項１７に記載の流動性組成物。
【請求項３０】
前記生体適合性粒子は、適切な量の付着因子をさらに含む、請求項１７に記載の流動性組成物。
【請求項３１】
前記付着因子は、フィブロネクチン、フィブリンゲル、および共有結合した細胞接着リガンドからなる群より選択される、請求項３０に記載の流動性組成物。
【手続補正書】
【提出日】平成21年3月3日(2009.3.3)
【手続補正１】
【補正対象書類名】特許請求の範囲
【補正対象項目名】請求項１２
【補正方法】変更
【補正の内容】
【請求項１２】
輸送スクリューが、タンクの底部の凹所に配設され、スロットによって底に接続されており、不溶性の下層が、撹拌中、凹所に落ち込み、スクリューの作用区域に達し、外に誘導される、請求項１１記載の加水分解タンク。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
特異的にメソテリンに結合し、免疫エフェクター活性の誘発およびメソテリン陽性細胞への内在化の両方を行い得る、抗体。
【請求項２】
請求項１記載の抗体において、
配列ＩＤ番号２、６、及び１０から成る群から選択されるアミノ酸配列を有する重鎖と、 配列ＩＤ番号４、８、及び１２から成る群から選択されるアミノ酸配列を有する軽鎖と
を有する、抗体。
【請求項３】
請求項１または２記載の抗体において、
配列ＩＤ番号２のアミノ酸配列を有する重鎖および配列ＩＤ番号４のアミノ酸配列を有する軽鎖、
配列ＩＤ番号６のアミノ酸配列を有する重鎖および配列ＩＤ番号８のアミノ酸配列を有する軽鎖、または、
配列ＩＤ番号１０のアミノ酸配列を有する重鎖および配列ＩＤ番号１２のアミノ酸配列を有する軽鎖、
のいずれかを有する、抗体。
【請求項４】
請求項１乃至３いずれかに記載の抗体において、
前記免疫エフェクター活性は抗体依存性細胞障害作用または補体依存性細胞障害作用である、抗体。
【請求項５】
請求項１ないし請求項４のいずれかに記載の抗体において、
化学療法剤に結合している、抗体。
【請求項６】
請求項５記載の抗体において、
前記化学療法剤は放射性核種を有する、抗体。
【請求項７】
メソテリンに特異的に結合する抗体の重鎖をコード化するポリヌクレオチドであって、
前記重鎖は配列ＩＤ番号２、６または１０のアミノ酸配列を有する、ポリヌクレオチド。
【請求項８】
請求項７記載のポリヌクレオチドにおいて、
配列ＩＤ番号１、５または９の核酸配列を有する、ポリヌクレオチド。
【請求項９】
メソテリンに特異的に結合する抗体の軽鎖をコード化するポリヌクレオチドであって、前記軽鎖は、配列ＩＤ番号４、８または１２のアミノ酸配列を有する、ポリヌクレオチド。
【請求項１０】
請求項９記載のポリヌクレオチドであって、
配列ＩＤ番号３、７または１１の核酸配列を有する、ポリヌクレオチド。
【請求項１１】
請求項１乃至４いずれかに記載の抗体と、
薬学的に許容される担体と、
を含む、医薬組成物。
【請求項１２】
請求項１１記載の医薬組成物において、
化学療法剤または生体分子をさらに含む、医薬組成物。
【請求項１３】
請求項１乃至４いずれかに記載の抗体の重鎖をコード化するポリヌクレオチド、および／または、請求項１乃至４いずれかに記載の抗体の軽鎖をコード化するポリヌクレオチド、を有するものである、ベクター。
【請求項１４】
請求項１乃至４いずれかに記載の抗体の重鎖をコード化するポリヌクレオチドと、
請求項１乃至４いずれかに記載の抗体の軽鎖をコード化するポリヌクレオチドと、
を有するものである、発現細胞。
【請求項１５】
請求項１３記載のベクターを有するものである、発現細胞。
【請求項１６】
請求項１５記載の発現細胞において、
哺乳動物細胞である、発現細胞。
【請求項１７】
請求項１乃至４いずれかに記載の抗体を産生するものである、細胞。
【請求項１８】
請求項１７記載の細胞において、
ハイブリドーマである、細胞。
【請求項１９】
メソテリンに特異的に結合し、免疫エフェクター活性の誘発およびメソテリン陽性細胞への内在化の両方を行うことができる抗体を産生する方法であって、
請求項１７記載の細胞を培養する工程と、
培地から前記抗体を回収する工程と、
を有する方法。
【請求項２０】
請求項１乃至６いずれかに記載の抗体において、
対象中のメソテリン陽性異型細胞の成長を阻害するために用いる、抗体。
【請求項２１】
請求項２０記載の抗体において、
前記異型細胞は、卵巣癌細胞、膵臓腺癌細胞、中皮腫細胞、肺癌細胞または前立腺癌細胞である、抗体。
【請求項２２】
請求項２０または２１記載の抗体において、
前記対象はヒトである、抗体。
【請求項２３】
請求項２０乃至２２いずれかに記載の抗体において、
非結合抗体、または、非結合抗体と化学療法剤に結合した抗体との混合物である、抗体。
【請求項２４】
請求項１乃至６いずれかに記載の抗体を含む、
対象中のメソテリン陽性異型細胞の成長を阻害するための成長阻害剤。
【請求項２５】
請求項２４記載の成長阻害剤において、
前記抗体が、非結合抗体、または、非結合抗体と化学療法剤に結合した抗体との混合物である、成長阻害剤。
【請求項２６】
メソテリンに特異的に結合し、免疫エフェクター活性の誘発およびメソテリン陽性細胞への内在化の両方を行うことができる抗体と、
対象における癌細胞の成長を阻害する方法において当該キットを使用するための説明書、または、インビトロまたはインビボでメソテリン陽性異型細胞の存在を特定する方法において当該キットを使用するための説明書と、
を有するキット。
【請求項２７】
請求項２６記載のキットにおいて、
少なくとも１つの化学療法剤または細胞毒性試薬、または、少なくとも１つの診断試薬をさらに有する、キット。
【請求項２８】
請求項２６または２７記載のキットにおいて、
前記抗体を対象に投与するための手段および説明書をさらに有する、キット。
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
コンピュータに基づいてセグメントのシミュレーション運動学データを自動的に予測する方法であって、
オリジナルのパラメータに基づいたオリジナル運動学データを少なくとも使って補正加速度を決定するステップと、
前記補正加速度を少なくとも使って前記セグメントの関節についての関節負荷を算定し、さらに、この関節負荷を前記オリジナルのパラメータを使って算定するステップと、
１つ以上の補正パラメータに基づいて前記セグメントについてのシミュレーション運動学データを予測し、このシミュレーション運動学データを、前記関節負荷を少なくとも使って予測するステップからなる
ことを特徴とする方法。
【請求項２】
前記セグメントは３次元であることを特徴とする請求項１に記載の方法。
【請求項３】
前記セグメントは２次元であることを特徴とする請求項１に記載の方法。
【請求項４】
前記補正加速度を決定する前記ステップは、
前回の時間においてシミュレーションした前回のシミュレーション運動学データと前記オリジナル運動学データとの差を示す誤差値を決定し、
この誤差値にフィードバックゲインを与えることを含む
ことを特徴とする請求項１に記載の方法。
【請求項５】
前記オリジナル運動学データは、少なくとも位置運動学データを含み、
前記前回のシミュレーション運動学データは、少なくとも前回のシミュレーション位置データを含み、
前記誤差値は、前記前回のシミュレーション位置データと前記位置運動学データとの差を示す位置追従誤差を含む
ことを特徴とする請求項４に記載の方法。
【請求項６】
前記オリジナル運動学データは、少なくとも速度運動学データを含み、
前記前回のシミュレーション運動学データは、少なくとも前回のシミュレーション速度データを含み、
前記誤差値は、前記前回のシミュレーション速度データと前記速度運動学データとの差を示す速度追従誤差を含む
ことを特徴とする請求項４に記載の方法。
【請求項７】
前記関節負荷を算定するステップは、１つ以上の連続する関節における１つ以上の連続する関節負荷を使って前記関節負荷を繰り返し算定することを含むことを特徴とする請求項１に記載の方法。
【請求項８】
前記関節負荷を算定するステップでは、閉形式の運動学的手法を用いることを特徴とする請求項１に記載の方法。
【請求項９】
前記セグメントは、開運動連鎖の一部であることを特徴とする請求項８に記載の方法。
【請求項１０】
前記セグメントは、閉運動連鎖の一部であることを特徴とする請求項８に記載の方法。
【請求項１１】
前記閉運動連鎖の反力は、少なくとも前記関節負荷と前回の時間においてシミュレーションした前回のシミュレーション運動学データとを用いて解析学的に算定することを特徴とする請求項１０に記載の方法。
【請求項１２】
前記関節負荷を算定するステップでは、ゼロ空間射影の手法を用いることを特徴とする請求項１０に記載の方法。
【請求項１３】
前記セグメントについてのシミュレーション運動学データを予測するステップは、
前記セグメントについての誘発の加速度を決定し、
前記誘発の加速度を積分することで前記セグメントについてのシミュレーション運動学データを決定することをさらに含む
ことを特徴とする請求項１に記載の方法。
【請求項１４】
オリジナルのパラメータに基づいたオリジナル運動学データを少なくとも使って補正加速度を決定する第１の決定手段と、
前記補正加速度を少なくとも使ってセグメントの関節についての関節負荷を算定し、さらに、この関節負荷を前記オリジナルのパラメータを使って算定する手段と、
１つ以上の補正パラメータに基づいて前記セグメントについてのシミュレーション運動学データを予測し、このシミュレーション運動学データを、前記関節負荷を少なくとも使って予測する手段とを備える
ことを特徴とするセグメントのシミュレーション運動学データを予測するシステム。
【請求項１５】
前記セグメントは三次元であることを特徴とする請求項１４に記載のシステム。
【請求項１６】
前記セグメントは二次元であることを特徴とする請求項１４に記載のシステム。
【請求項１７】
前記補正加速度を決定する前記第１の決定手段は、
前回の時間においてシミュレーションした前回のシミュレーション運動学データと前記オリジナル運動学データとの差を示す誤差値を決定し、この誤差値にフィードバックゲインを与える第２の決定手段をさらに備える
ことを特徴とする請求項１４に記載のシステム。
【請求項１８】
前記セグメントについてのシミュレーション運動学データを予測する手段は、
前記セグメントについて誘発の加速度を決定する第２の決定手段と、
前記誘発の加速度を積分することにより、前記セグメントについてのシミュレーション運動学データを決定する第３の決定手段をさらに備える
ことを特徴とする請求項１４に記載のシステム。
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
配列番号12の配列のポリペプチドを含むことを特徴とする単離または組換え EPCR（内皮プロテインC受容体）タンパク質。
【請求項２】
配列番号1を含むことを特徴とする請求項 1の単離または組換え EPCR タンパク質。
【請求項３】
配列番号12または少なくとも 14 アミノ酸のそのフラグメントを含むことを特徴とする請求項 2のタンパク質に由来するポリペプチド。
【請求項４】
配列番号13、配列番号14、配列番号15、配列番号16および配列番号17から選択されるフラグメントであることを特徴とする請求項 3のポリペプチド。
【請求項５】
配列番号1の配列のEPCR タンパク質をコードすることを特徴とする単離または組換えポリヌクレオチド。
【請求項６】
配列番号2の配列のcDNAに由来することを特徴とする請求項 5のポリヌクレオチド。
【請求項７】
請求項5または6のポリヌクレオチドを含むことを特徴とする発現ベクター。
【請求項８】
請求項5または6のポリヌクレオチド、または請求項 7の発現ベクターを含むことを特徴とする宿主細胞。
【請求項９】
ポリヌクレオチドが適当な制御配列に作動可能に連結していることを特徴とする請求項 8の宿主細胞。
【請求項１０】
該細胞が原核細胞または真核細胞であることを特徴とする請求項8または9の宿主細胞。
【請求項１１】
該細胞が細菌である大腸菌または酵母であるピキア・パストリスであることを特徴とする請求項 10の宿主細胞。
【請求項１２】
請求項 7 の発現ベクターおよび請求項8〜 11のいずれかの宿主細胞を含むことを特徴とする発現系。
【請求項１３】
配列番号1のEPCRタンパク質の発現を可能とする条件下で、配列番号2のポリヌクレオチドを含む宿主細胞を培養することを含むことを特徴とする配列番号1のEPCR タンパク質の生産方法。
【請求項１４】
配列番号12の配列を含むタンパク質または、少なくとも 14 アミノ酸の該配列のフラグメントをコードすることを特徴とするmRNA。
【請求項１５】
請求項 1のEPCR タンパク質または免疫原性を有する請求項 3のポリペプチドを特異的に認識することを特徴とする単離抗体。
【請求項１６】
その配列が配列番号13、配列番号14、配列番号15、配列番号16 および配列番号17から選択されるポリペプチドまたはフラグメントに対して特異的であることを特徴とする請求項 15の単離抗体。
【請求項１７】
配列番号1に対して特異的であり、領域 201-256 (配列番号12)に結合しない場合は領域 1-200を認識しないことを特徴とする請求項 15の抗体。
【請求項１８】
モノクローナル抗体であることを特徴とする請求項15〜17のいずれかの抗体。
【請求項１９】
以下を含むことを特徴とする、配列番号12を含むEPCR タンパク質の生物学的サンプルにおける選択的なインビトロ検出方法:
-生物学的サンプルを提供する工程、および
-配列番号12を含むEPCR タンパク質の量を分析する工程。
【請求項２０】
該タンパク質の量が、血管損傷に関係する炎症プロセス、炎症、癌および異常な血液凝固に関係する疾患から選択される疾患と関連していることを特徴とする請求項 19の方法。
【請求項２１】
検出されたEPCR タンパク質の量を較正標準と比較することを含むことを特徴とする請求項19 または20の方法。
【請求項２２】
以下を含むことを特徴とする、配列番号12の配列を含むEPCR タンパク質の検出および定量のための試験キット:
a)請求項15〜18のいずれかの特異的な抗体;および
b) a)の抗体と、生物学的サンプルに存在する配列番号12の配列を含むEPCR タンパク質との間の反応の検出のための試薬。
【手続補正２】
【補正対象書類名】明細書
【補正対象項目名】配列表
【補正方法】変更
【補正の内容】
【配列表】
2008532536000001.app
【手続補正書】
【提出日】平成21年3月11日(2009.3.11)
【手続補正１】
【補正対象書類名】特許請求の範囲
【補正対象項目名】請求項１０
【補正方法】変更
【補正の内容】
【請求項１０】
前記６’−アルコキシ−カルコンが、キサントフモールであり、および／または前記５−アルコキシ−フラボノイドが、イソキサントフモールである請求項８または９記載の組み合わせ。
【手続補正２】
【補正対象書類名】明細書
【補正対象項目名】００３３
【補正方法】変更
【補正の内容】
【００３３】
発明の詳細な説明
定義
本出願では、以下の省略記号が使用される：
Ｘ：キサントフモール
ＤＭＸ：デスメチルキサントフモール
ＩＸ：イソキサントフモール
８−ＰＮ：８−プレニルナリンゲニン
６−ＰＮ：６−プレニルナリンゲニン
５−ＡＯ−ＦＴ：５−アルコキシフラボノイドアルキル転移酵素
５−ＭＯ−ＦＭＴ：５−メトキシ−フラボノイドメチル転移酵素
６’−ＡＯ−ＣＴ：６’−アルコキシカルコンアルキル転移酵素
６’−ＭＯ−ＣＭＴ：６’−メトキシ−カルコンメチル転移酵素
用語「フラボノイド類」は、２位、３位または４位の位置に別の芳香族環Ｂを有するクロマン環を有するＣ１５骨格に基づく有機分子の基を意味する（図１Ａ）。図１Ａは、フラボノイド上の置換基のための従来のナンバリングを示し、それは本発明でもまた使用される。フラボノイド類のサブグループは、カルコン類、フラバノン類、フラボン類、フラバノール類およびイソフラボノイド類である。カルコン類（図１Ｂ）は、フラバノン類（図１Ｃ）の異性体である。図１Ｂおよび図２は、カルコン類の従来のナンバリングを示す。フラバノン類は、２位、３位の二重結合を欠く点でフラボン類（図１Ｅ）とは異なる。フラボン類（図１Ｅ）は、フラボノール類（図１Ｄ）の３−ＯＨ基がないフラボノイド類である。イソフラボノイド類（図１Ｆ）は、フェニル環Ｂが３位に位置するフラボノイド類である。これらのサブグループは全て４位にケト官能基を有する。
【手続補正３】
【補正対象書類名】明細書
【補正対象項目名】０１００
【補正方法】変更
【補正の内容】
【０１００】
図面は、本発明を説明するように意図されるものであるが、本発明を本明細書中に示された実施形態への如何なる限定をも意味するものではないと考えるべきである。
【図１】フラボノイド類の一般的な構造。
【図２】ホップのプレニルフラボノイド類の構造およびそれらの転換。
【図３】ＩＸとインキュベーションした糞便培養物（Ｃ）のエストロゲン応答（平均±標準偏差）（ゼロおよび８日間のインキュベーション）（ｎ＝３）。
【図４】３日後のヒト糞便培養物（Ｅ〜Ｌ）によるＩＸ（２５ｍｇ／Ｌ）の８−ＰＮへの形質転換（平均±標準偏差）（ｎ＝３）。
【図５】５１人の異なるヒト個体からの腸内細菌によるイソキサントフモール（ＩＸ）の８−プレニルナリンゲニン（８−ＰＮ）への転換。ヒト個体は８−ＰＮ生産の増加順に配列した。結果はＩＸの８−ＰＮへの転換の平均％（±標準偏差）（ｎ＝３）として表される。
【図６】ペプトストレプトコッカス・プロダクタスによるＩＸ（２５ｍｇ／Ｌ）の８−ＰＮへの転換（３つの培養物：Ｉｎｃ  １、Ｉｎｃ  ２およびＩｎｃ  ３）。ＩＸ（塗りつぶし記号）の消失および８−ＰＮ（白抜き記号）の生成を、１３日の期間追跡した。
【図７】ユーバクテリウム・リモスム培養物を糞便培養物Ｂに補充後のＩＸの８−ＰＮへの転換（０％（糞便サンプルのみ）から１００％（純粋培養ユーバクテリウム・リモスム培養物）までの％）（ｎ＝３）。
【図８】ＴＷＩＮ  ＳＨＩＭＥのＰＦ＋コンパートメントにおけるメチル化メチルフラボノイド類を活性化する条件下でのヒト腸内細菌エコシステムの模擬実験装置でのＩＸから８−ＰＮへの転換。
【図９】メチル化メチルフラボノイド類を活性化しない条件下でのヒト腸内細菌エコシステムの模擬実験装置におけるＩＸから８−ＰＮへの転換。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
哺乳動物の体表面に貼り付けすべき、マイクロ電子システムを包含する三次元接着デバイスであって、
（ａ）上面と下面を有する感圧接着剤から作られた三次元接着体、
（ｂ）前記感圧接着剤の本体に埋め込まれたマイクロ電子システム、
（ｃ）前記上面に貼り付けられた１つ以上のカバー層、及び、
（ｄ）前記接着デバイスの下面に引き剥がし可能な形で貼り付けられた任意のリリースライナ
を特徴とする接着デバイス。
【請求項２】
前記三次元接着デバイスが、哺乳動物の体表面に付着するようにされた略平らな下面と滑らかな上面を有し、前記接着デバイスが接着体の中心部で最も厚く、接着体の周縁で最も薄いことを特徴とする、請求項１に記載の接着デバイス。
【請求項３】
前記マイクロ電子システム全体が前記接着体に統合され、全面が前記接着体で完全に覆われていることを特徴とする、請求項１または２に記載の接着デバイス。
【請求項４】
前記マイクロ電子システム全体が、前記カバー層に面する前記接着体の上面に設けられた１つ以上の凹部の中に収納されていることを特徴とする、請求項１〜３のいずれか一項に記載の接着デバイス。
【請求項５】
前記マイクロ電子システム全体が、前記接着体の接着下面に設けられた１つ以上の凹部の中に収納されていることを特徴とする、請求項１〜４のいずれか一項に記載の接着デバイス。
【請求項６】
前記マイクロ電子システム全体が、前記接着体の１つ以上の貫通穴の中に収納されており、前記カバー層に面する上面と接着下面の両方から接近できることを特徴とする、請求項１〜５のいずれか一項に記載の接着デバイス。
【請求項７】
前記マイクロ電子システム又はその１つ以上のコンポーネントが前記接着体と異なる材料でカプセル化されることを特徴とする、請求項１〜６のいずれか一項に記載の接着デバイス。
【請求項８】
前記マイクロ電子システムの１つ以上のコンポーネントが前記接着体の外側から接近でき、前記接着デバイスの寿命の間に同様のコンポーネントと交換し得ることを特徴とする、請求項１〜７のいずれか一項に記載の接着デバイス。
【請求項９】
前記交換し得るコンポーネントがエネルギー源、例えば電池であることを特徴とする、請求項８に記載の接着デバイス。
【請求項１０】
前記マイクロ電子システムの１つ以上のコンポーネントが前記接着体の外側から接近でき、前記コンポーネントが再使用し得ることを特徴とする、請求項１〜９のいずれか一項に記載の接着デバイス。
【請求項１１】
前記交換可能なコンポーネント又は再使用可能なコンポーネントがカプセル化され、前記接着体の凹部又は貫通穴にフィットするパッケージを形成することを特徴とする、請求項８〜１０のいずれか一項に記載の接着デバイス。
【請求項１２】
前記カプセル化された交換可能又は再使用可能なコンポーネントのパッケージが、機械式の二重化機構、好ましくはスナップロック機構により接着体に固定されることを特徴とする、請求項１１に記載の接着デバイス。
【請求項１３】
前記カプセル化された交換可能又は再使用可能なコンポーネントのパッケージが、前記接着体の凹部又は貫通穴の中の接着表面に固定されることを特徴とする、請求項１１に記載の接着デバイス。
【請求項１４】
前記マイクロ電子システムに電力を供給する電源エレメントを包含し、前記接着体が前記マイクロ電子システムの１つ以上のコンポーネントに引き剥がし可能な形で貼り付けでき、
前記接着体が体表面に付着するために少なくとも１つの第１の領域を有する
ことを特徴とする、請求項１〜１３に記載の接着デバイス。
【請求項１５】
哺乳動物の体表面に貼り付けられるように作られたセンサアセンブリであって、
多数の電気コンポーネントを包含するセンサ回路と、
前記電気コンポーネントの少なくとも１つに電力を供給するための少なくとも１つの電源、及び前記センサアセンブリを哺乳動物の体表面に貼り付けるための少なくとも１つの接着体を包含するデバイスと、
を包含し、
前記デバイスがセンサ回路に引き剥がし可能な形で結合させられるようになっていることを特徴とするセンサアセンブリ。
【請求項１６】
前記センサ回路が当該ハウジングの中に少なくとも一部分が内蔵されていること、及び、前記ハウジングが近位側ハウジング部分と遠位側ハウジング部分から形成されていることを特徴とする、請求項１５に記載のセンサアセンブリ。
【請求項１７】
前記接着体と前記ハウジングの間の第１の剥離力が、前記接着体と電池の間の第２の剥離力より小さいことを特徴とする、請求項１６に記載のセンサアセンブリ。
【請求項１８】
請求項１〜１４のいずれか一項に記載の１つ以上の接着デバイスを包含するマルチセンサネットワーク。
【請求項１９】
接着剤に埋め込まれたマイクロ電子システムを有し、カバーフィルム及びリリースライナを有する前記接着デバイスの前記接着体が圧縮成形、射出成形または反応成形から選択される一つの方法により形成されていることを特徴とする、請求項１に記載の接着デバイスを生産する方法。
【請求項２０】
１つの接着エレメントと1つの電源エレメントを包含するデバイスの使用であって、前記デバイスが、電子回路を一表面に貼り付けて、前記電子回路に電力を供給するのに使用され、前記電子回路が前記接着エレメント及び前記電源エレメントに引き剥がし可能な形で結合できることを特徴とする、デバイスの使用。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
ワークフローを処理するための方法であって、
１つまたは複数のデータ管理アクティビティを含むワークフローを受信するステップと、
前記１つまたは複数のデータ管理アクティビティの記述を含むワークフロー記述を前記ワークフローから生成するステップと、
１つまたは複数のデータ管理動作を前記ワークフロー記述から生成するステップと、
１つまたは複数のデータ管理システムに対して前記１つまたは複数のデータ管理動作を実行するステップと、
を含む方法。
【請求項２】
少なくとも１つのデータ管理アクティビティがセット参照を含む、請求項１に記載の方法。
【請求項３】
１つまたは複数のライフ・サイクル属性が前記セット参照に関連付けられる、請求項２に記載の方法。
【請求項４】
前記セット参照が、ビジネス・プロセス変数またはビジネス・プロセス変数の一部へのマッピングを含む、請求項２または３に記載の方法。
【請求項５】
少なくとも１つのデータ管理アクティビティが入力パラメータとしてビジネス・プロセス変数を含む、請求項１ないし４のいずれかに記載の方法。
【請求項６】
少なくとも１つのデータ管理アクティビティが出力パラメータとしてビジネス・プロセス変数を含む、請求項１ないし５のいずれかに記載の方法。
【請求項７】
少なくとも１つのデータ管理アクティビティがデータ・ソース定義を含む、請求項１ないし６のいずれかに記載の方法。
【請求項８】
前記データ・ソース定義が、ビジネス・プロセス変数またはビジネス・プロセス変数の一部へのデータ・ソースのマッピングを含む、請求項７に記載の方法。
【請求項９】
前記１つまたは複数のデータ管理システムから結果を受信するステップをさらに含む、請求項１ないし８のいずれかに記載の方法。
【請求項１０】
第１のデータ管理アクティビティがセット参照を定義し、第２のデータ管理アクティビティが前記セット参照を使用する、請求項１ないし９のいずれかに記載の方法。
【請求項１１】
前記データ管理動作が照会を含む、請求項１ないし１０のいずれかに記載の方法。
【請求項１２】
各データ管理アクティビティが、前記１つまたは複数のデータ管理アクティビティのうちの１つに対応する、請求項１ないし１１のいずれかに記載の方法。
【請求項１３】
新しいデータ管理アクティビティの作成を可能にするステップをさらに含む、請求項１ないし１２のいずれかに記載の方法。
【請求項１４】
ワークフローを処理するためのコンピュータ・プログラムであって、コンピュータに、
１つまたは複数のデータ管理アクティビティを含むワークフローを受信するステップと、
前記１つまたは複数のデータ管理アクティビティの記述を含むワークフロー記述を前記ワークフローから生成するステップと、
１つまたは複数のデータ管理動作を前記ワークフロー記述から生成するステップと、
１つまたは複数のデータ管理システムに対して前記１つまたは複数のデータ管理動作を実行するステップと、
を実行させるための、コンピュータ・プログラム。
【請求項１５】
ワークフローを処理するためのシステムであって、
動作を実行させることができる回路を備え、前記動作は、
１つまたは複数のデータ管理アクティビティを含むワークフローを受信するステップと、
前記１つまたは複数のデータ管理アクティビティの記述を含むワークフロー記述を前記ワークフローから生成するステップと、
１つまたは複数のデータ管理動作を前記ワークフロー記述から生成するステップと、
１つまたは複数のデータ管理システムに対して前記１つまたは複数のデータ管理動作を実行するステップと、
を含む、システム。
【手続補正書】
【提出日】平成20年12月29日(2008.12.29)
【手続補正１】
【補正対象書類名】特許請求の範囲
【補正対象項目名】全文
【補正方法】変更
【補正の内容】
【特許請求の範囲】
【請求項１】
予約の登録システムで、その中では、表示装置上の種々のリンクをしたスクリーンの中で、クライアント及び／又は資源に関するいくつかのデータを記入し、又は、選択し、及び、表示することができ、又、その中では、前記スクリーンの少なくともひとつの上に、ウインドウが表示され、それが予約の登録手順のステップについて実施すべきクライアント又は資源に関する処置についての少なくともひとつのメッセージから成り、又、その中では、前記予約の登録手順の次のステップを実施できる前に、前記メッセージを確認するための手段が設けられている予約の登録システム。
【請求項２】
処置に関する前記メッセージが、前記の処置が関係するクライアント又は資源に関するデータから成っていることを特徴とする請求項１に記載のシステム。
【請求項３】
初期値により又は、命令を受けて、患者識別要素の履歴をメモリーから検索して、かつ、表示することを特徴とする請求項１に記載のシステム。
【請求項４】
表示装置上に表示されたいくつかのリンクをしたスクリーンで、その中では、クライアント及び／又は資源が予約の登録手順内に関与しているクライアント、及び／又は、資源に関するデータを入力し、選別する項目と、
少なくとも１個のウインドウが少なくとも１件の前記スクリーンの上に重ねて表示されること、前記ウインドウは予約の登録システムのステップに関連して実施すべきクライアント又は資源に関係した処置に関する少なくとも１件のメッセージから成る項目と、
ユーザーの相互作用により前記メッセージを確認するための手段。前記手段は、予約の登録手順の次のステップが確認の後でのみ実行しうるように配置されている項目と、
を有する予約の登録システムのためのユーザー・インターフェース、
【請求項５】
前記表示されたメッセージが、前記処置が関連するクライアント又は資源に関するデータから成ることを特徴とする請求項４に記載のユーザー・インターフェース。
【請求項６】
追加的に、ユーザーによる活性化の際に患者識別要素の履歴をメモリーから検索するように配置された手段を有することを特徴とする請求項４に記載のユーザー・インターフェース。